(57)【特許請求の範囲】
【請求項１】
研磨剤により加工品を乾式で研削または研磨するための装置であって、
平坦な底面を有するコンテナと、その中に位置しそれに対して回転可能なロータリディスクとを有し、このロータリディスクは前記コンテナの前記底面に平行な平坦部を有し、該平坦部の下面は、前記コンテナの底面から第１の間隔をとって位置付けられ、前記ロータリディスクはさらに、前記平坦部の周囲において上向きに引出された周縁部を有し、該周縁部の上方外端は、前記装置の非動作状態において、隣接する前記コンテナの内壁から第２の間隔をとっており、
前記ロータリディスクの前記平坦部は、前記コンテナの底面に平行に位置付けられ、前記周縁部は、その自由端に向かって薄くなるテーパ状をなし、
前記第２の間隔は、前記第１の間隔よりも小さく、かつ、前記ロータリディスクの直径の０．２〜１％であり、
前記ロータリディスクは可撓性材料から作られており、少なくとも前記周縁部が５０〜９５°のショア硬度を有し、
前記ロータリディスクの前記平坦部の厚さは、該平坦部の直径の０．２〜０．８％であり、前記周縁部の厚さは、前記平坦部の厚さよりも小さい、装置。
【請求項２】
前記ロータリディスクの前記周縁部の外側は、水平に対して９０°未満の傾斜を有する、請求項１に記載の装置。
【請求項３】
前記ロータリディスクの前記周縁部の外側の水平に対する傾斜は３０〜７０°である、請求項２に記載の装置。
【請求項４】
前記ロータリディスクの前記周縁部の外側とコンテナの内壁とはお互いに平行である、請求項１に記載の装置。
【請求項５】
前記ロータリディスクの前記周縁部の上外端における、コンテナ内壁に対する有限の間隔または隙間は０．４〜２ｍｍである、請求項１に記載の装置。
【請求項６】
前記ロータリディスクの前記平坦部は弾性材料から作られている、請求項１に記載の装置。
【請求項７】
前記ロータリディスクの前記平坦部は一定の厚さを有する、請求項１に記載の装置。
【請求項８】
ロータリディスクの底の立上がったロータリディスクの縁に向かった外周がテーパを有する、請求項１に記載の装置。
【請求項９】
ロータリディスクの厚さは５〜１０ｍｍである、請求項１に記載の装置。
【請求項１０】
コンテナの底からその壁にかけての移行区域に、ロータリディスクとの間隔が増大した部分が形成されている、請求項１に記載の装置。
【請求項１１】
ロータリディスクはプラスチックから作られている、請求項１に記載の装置。
【請求項１２】
少なくともコンテナの内部がプラスチックから作られている、請求項１に記載の装置。
【請求項１３】
少なくともコンテナの内壁がポリカプロラクタムから作られている、請求項１２に記載の装置。
【請求項１４】
請求項１〜１３のうちの１つに記載の装置を有する研削システムであって、
有機粒子を有する研磨剤が利用されている、研削システム。
【請求項１５】
研磨粒子は天然の有機材料を含む、請求項１４に記載の研削システム。
【請求項１６】
研磨粒子は合成有機材料を含む、請求項１５に記載の研削システム。
【請求項１７】
研磨剤は、中央の有機材料粒子が研磨微粒子を含む結合層により取囲まれている複合研磨剤である、請求項１５に記載の研削システム。
【発明の詳細な説明】
【０００１】
コンテナ（２）と、その中に位置しそれに対して回転可能なロータリディスク（３）とを有する、研磨剤により加工品を研削または研磨するための装置である。
【０００２】
このような装置は遠心摺動研削装置の形で知られており、これは、底を形成する、貝の形をした回転可能なコンテナ下部と、静止した円筒状のコンテナ上部とを有する２部構成のコンテナを含む。
【０００３】
このような研削装置は、たとえばより小さな部品および加工品などの被研削物の表面機械加工に用いられ、それらは研磨剤と一緒に、随意には液体加工媒体とも一緒にコンテナ内を動かされる。下部が回転すると、処理されるべき加工品はディスク上を外側に向かって動かされ、コンテナの内壁にぶつかって、そこで減速する。次に加工品が供給される結果、加工品の回転運動が発生し、これが強力な研削または研磨動作につながる。
【０００４】
環状の隙間を封止し、それに境を接する面を誘導することが重要な問題を引起すということは、このような遠心摺動研削装置の一欠点であり、これは相当の努力とそれに応じた費用によってのみ克服され得るものである。
【０００５】
被研削物、および／または動作中にさらに加えられた研磨剤の一部がコンテナの底とロータリディスクとの間の隙間に入ると、上部および下部、特に下部が、摩擦の結果、非常に加熱される危険がある。これにより、一方では、研削装置の再研削寿命が比較的短くなり、他方では、被研削物の機械加工中、ロータリディスクは、研削装置と被研削または被研磨物の両方の過熱を防ぐため、たびたびオフに切換えられなければならない。
【０００６】
ＤＥ  １９７  ２８  ９３１  Ａ１は、加工品の液体加工用の液体研削装置を開示している。ほぼ平面の弾性ディスクが提供され、その半径方向広がりは取り囲むコンテナの半径方向広がりを上回っているため、コンテナ内にディスクを挿入すると、その可撓性のある縁または端が上向きになり、コンテナの壁にしっかりと係合し、圧縮力はディスクの回転中、遠心力により強化される。湿式加工に必要な液体がコンテナ内のディスクの下に投入され、前述の印加力に打ち勝つ圧力の下で、ディスクの縁とコンテナの壁との間から機械加工チャンバに押込まれる。かなりの技術的構造的努力と出費の結果、ロータリディスクの下方区域に研削材料が侵入することは防止されるが、この形態は湿式機械加工でのみ可能である。
【０００７】
この発明の問題は、前述の欠点を避けつつ、簡単な構成で安価の研磨および研削用装置を提供することにあり、これは、摩耗しやすさに限度がある場合、確実に機能し、長い再研削寿命を有する。
【０００８】
この発明によれば、前述の種類の装置の場合、ロータリディスクが上向きに引出された弾性のあるディスクの縁を有し、そのディスクの縁が隣接するコンテナ内壁から有限の間隔をとることによって、この問題は解決される。
【０００９】
ＤＥ  １９７  ２８  ９３１  Ａ１の場合とは異なり、この有限の間隔または隙間は、コンテナの半径方向内部寸法に対するロータリディスクの半径方向最小寸法により構造的に決定され、したがって非動作状態でも存在し、特に、先行技術において液体がディスクとコンテナの壁との間に押し込まれた結果起こったような外力の作用がなくても存在する。このように、装置が非動作状態にあり、ディスクの縁に投入された材料による負担がかかっていない場合、弾性があり特に可撓性のあるディスクの縁は、コンテナの壁と接触していない。この発明は、研磨微粒子がディスクの縁とコンテナの壁との間だけでなく、ディスクの底とコンテナの底との間を通り得るという事実を慎重に考慮している。これは、ロータリディスクの回転によりそのような微粒子に作用する遠心力によって抑制され、これにより微粒子は、ディスクの底の弾性があり好ましくは可撓性を有する下面に助けられて、ディスクの底の下を半径方向に外側へ向けられるようになる。この結果とディスクの縁の弾性、可撓性のある設計とにより、ディスクの縁とコンテナの壁との間に位置する研磨微粒子が研削チャンバに戻される。材料流動の動的平衡が発生し、常に一定量の研磨微粒子が存在するため、これがディスクの縁とコンテナの壁との間に摩擦を低減する潤滑剤を形成する。
【００１０】
好ましい展開によれば、ディスクの縁はその周囲自由端に向かって尖るようにテーパを有する。その結果、ディスクの縁は、特にその外側の自由端領域において、高い可撓性を与えられ得る。
【００１１】
より好ましい展開によれば、ディスクの縁は外向きに傾いており、水平に対し９０°未満、好ましくは３０〜７０°の傾斜を有する。したがって、水平に対するディスクの縁の（内部）開口部またはアパーチャの角度は、１５０〜１１０°となる。
【００１２】
コンテナの壁からのディスクの縁の隙間または有限の間隔のサイズは、好ましくはディスク直径の２〜１０‰（０．２〜１％）であり、したがって、従来の１５〜４０ｃｍのディスク直径に対しては、一般に０．４〜２ｍｍ、好ましくは０．７〜１ｍｍとなる。
【００１３】
その他の好ましい展開によれば、ロータリディスクの底は実質的に一定の厚さを有し、ディスクの縁は、ディスクの底またはディスク底のテーパの（立上がったディスクの縁に向かった）外周よりも、厚さが小さい。
【００１４】
ディスク底の厚さはその直径の約２〜８‰（０．２〜０．８％）で、ロータリディスクの厚さは約５〜１０ｍｍであるように定めることが可能である。
【００１５】
ディスクは、コンテナの底からも間隔をおいている。好ましい展開では、垂直方向の間隔は１〜２ｍｍである。隙間の幅も、使用される顆粒状の材料に隙間を適合させるため、特に可変である。隙間の調整能力は、コンテナの底とディスクとの間に置かれたワッシャなどの任意の周知手段によって可能となり、その結果、可撓性のあるディスクを取付けるためにコンテナの底を貫通するシャフトが垂直方向に調整可能となり、任意の高さに固定できる。またこれに代えて、コンテナをディスクに対し垂直方向に調整可能とし、所望の高さに固定することもできる。より好ましい展開によれば、ディスクの縁とコンテナの壁との間の隙間のサイズは、ディスクからコンテナの底への軸間隔よりも小さい。これにより、ロータリディスクの底とコンテナの底面との間の間隔よりもずっと小さい微粒子しか、ロータリディスクの下を通れなくなることが確実になる。
【００１６】
より好ましい展開によれば、コンテナの底からコンテナの壁への移行区域において、ロータリディスク、および特にディスクの底の周縁に対し、増大した間隔が形成され、これは、コンテナの底へ向かうコンテナの壁の通路に、特にノッチによって形成される。これにより、半径方向に比較的硬いロータリディスクの底が、熱膨張の結果、コンテナの壁の下方区域に確実に当らなくなる。コンテナの壁のノッチには、研磨材料が集まることが可能で、したがってこれは戻ってきたばらばらの研磨微粒子を誘導する。その弾性およびそこで潤滑剤として作用する研磨微粒子の結果、ディスクの縁近くの半径方向の熱膨張は決定的なものではなくなる。
【００１７】
摩擦の下で加熱が増すことはなく、特に、融合は起こらないことがわかっている。
【００１８】
上記は、可撓性のある材料を選択することに加え、周辺の縁の形状にも助けられている。後者は断面が薄く、ディスクの底部から自由端または口縁に向けて尖っているため、口縁の高い可撓性によっても助けられている。
【００１９】
この発明のさらなる展開によれば、ロータリディスクはプラスチック、特にポリウレタンから作られている。好ましい展開では、少なくともコンテナの内部、好ましくはコンテナ全体がプラスチック、好ましくはポリアミド６（ＰＡ６）またはポリアミド６６から作られており、材料のショア硬度は好ましくは５０〜９５°である。
【００２０】
このようなポリアミド、特にポリカプロラクタムを主成分とするポリアミドが、コンテナの壁として最適な材料を構成することが発見されている。標準的な研磨材料または研磨剤の場合、前記材料はいかなる摩耗および摩滅も受けない。また、ロータリディスクとの融合は、後者に対し適切な材料、ここでもポリウレタンが用いられている場合、確実に防止される。ＰＡ６を使用した結果、隙間を通って直ちにまた排出されるこのような研磨部材の自己洗浄効果は、ポリウレタン同士の組合せと比べて著しく向上している。
【００２１】
この発明はまた、加工品を研削および研磨するためのこの発明による装置と、有機粒子を有する研磨剤とを備える研削システムに関し、後者は、より特定的には、クルミまたはココナツの殻、木、サクランボの種などの天然有機材料からなり、または、研磨粒子は合成有機材料、特にプラスチックからなる。研磨剤は、好ましくは、中心の有機材料粒子が研磨微粒子を含む接着層により取囲まれている複合研磨剤である。好ましい展開では、研磨粒子複合物は中心にクルミの粒子を有し、これが研磨粒子、特に酸化アルミニウムの研磨粒子が混ぜ込まれた脂肪またはワックス層により封入されている。この研磨剤は、ポリアミド６のケーシングと特にポリウレタンのディスクも備える研削装置に用いられる場合に、最適な性質を有し、一方では良好な研削結果を獲得し、他方では、さもなければ駆動装置のジャムおよび閉塞を起こすような被研削物または加工品、およびコンテナの壁と研削ディスクの損傷を防ぐことがわかっている。研磨粒径は５０〜５００であり得る。
【００２２】
別の好ましい展開は、ディスクの下のコンテナの底に閉鎖可能な排出口が設けられていることを特徴とする。
【００２３】
別のより好ましい展開によれば、研削ディスクの駆動軸はコンテナの底を液密に貫通する。
【００２４】
他の展開によれば、コンテナの上およびディスクの下に後者用の回転駆動装置が設けられており、それによってディスクの軸と回転駆動装置の軸とが整列される。
【００２５】
この好ましい展開により、研削装置を簡単かつ安価に設計することが可能となる。このことは、ディスクが回転駆動装置の被駆動シャフトに、ベアリングを用いず、回転不能に連結されているという事実により、助けられている。この好ましい解決によって、ロータリディスクの駆動シャフト用の別個のベアリングを、ロータリディスクの被駆動シャフト用のベアリングに加えて提供する必要はなく、回転駆動装置は、駆動モータ、または一体型モータと一体型ギアとを有するギア型モータであってもよい。好ましい展開によれば、ディスクは継手により回転駆動装置の被駆動シャフトに連結され、特に継手は整列された穴を有し、これらは回転駆動装置の被駆動軸とディスク用センタリングピンとを保持する。継手と被駆動軸とは、ラジアル締付ボルトにより回転不能に連結される。ロータリディスクと継手とは、ねじにより回転不能に相互接続される。ディスク駆動装置は、塵が入らないよう、および／または液体を漏らさないように、コンテナの底を貫通しており、継手は特に保持リングによってコンテナ内にしっかりと保持され、したがって最適の封止作用が得られる。
【００２６】
この発明の他の展開によれば、回転駆動装置は足または土台部内に保持され、そこへねじによりしっかりと連結されており、回転駆動装置用の締付ねじは軸に対し平行に向けられている。
【００２７】
ケーシングは好ましくは一体成形で、特に、ケーシングおよび／またはコンテナはプラスチックから作られる。その結果、この発明による研削装置は、経済的に、ゆえに安価に製造可能である。このことは、ギアがディスク下方に位置付けられているという事実に助けられている。代替的な展開では、駆動装置は一体型の駆動装置を有するギア型モータとして構成され、そして特にモータはその軸と垂直に向きを揃えられ、駆動シャフトはモータの下端において飛び出している。
【００２８】
この発明に従って装置または研削ユニットを構成した結果、単一コンテナ内でいくつかの加工品を一緒に機械加工することができないような、より重い、および／または衝撃に敏感な加工品を合理的に機械加工できるように、１つの装置にいくつかの研削ユニットを限られた費用で設けることが可能である。実際、たとえば３０を超すような多数のユニットを設けることが可能である。個々のコンテナのディスクは別々に駆動可能であるか、または、研削装置は全ユニットに共通の駆動装置を有する。後者の場合、各々の場合１つのシャフト上に位置するユニットのディスクは、噛み合うギアホイール、Ｖベルトなどの継手要素により、中央の駆動装置に連結可能であり、個々のコンテナのディスクは好ましくは、中央の駆動装置から結合せずに切り離されることが可能である。このため、研削装置のあるコンテナで加工品を研削する間に、他のコンテナを、たとえば清掃し、または空にし、それから再び加工品を充填することができる。この発明に従った研削装置は、特に貴金属、歯科用部品などの乾式研磨に用いることができる。
【００２９】
この発明のさらなる利点および特徴は、特許請求の範囲、および以下のこの発明の実施例の説明から、添付図面を参照して理解できる。
【００３０】
図１はこの発明に従った装置の好ましい一展開を示す。これは簡単な構成を有し、したがって限られた費用で生産し、低価格で販売することが可能である。このため、それは個人の貴金属品を研磨するために個人分野においても用いられることができる。
【００３１】
ディスク遠心力装置の形をした遠心摺動研削装置の図１の装置１は、ロータリディスク３を備えたコンテナ２を有する。
【００３２】
図１によれば、装置１は、コンテナ２を備えた一体型のケーシング２′と、足または土台２″とを有する。ケーシング２′はここでは、ＮＨ（′ＣＨ2）5ＣＯ鎖を有するカプロラクタムから作られており、前記材料は従来よりポリアミド６またはＰＡ６とも呼ばれている。コンテナ２はこの材料から作られている。コンテナ２の中には、回転研削ディスク３が配置されている。ロータリディスク３は、比較的軟らかいプラスチックまたはゴム、特にポリウレタンのような可撓性のある材料から作られている。研削材料は、有機材料の中心粒子と、研磨顆粒が混ぜ込まれたワックスまたは脂肪層とを有する研磨粒子複合物である。有機材料は、クルミの殻、サクランボの種、木、ココナツの殻などの天然素材であってもよく、またプラスチックのような合成材料であってもよい。
【００３３】
ロータリディスク３は、上向きに引張られ外側に傾斜した周縁３ａを有し、その外壁はこの区域におけるコンテナの輪郭に追従し、したがってそれに平行となっている。こうして、ディスク３とコンテナの底２ａとの間には、約１．５ｍｍのサイズｂを有する有限の間隔５が形成されており、これはディスク表面全体にわたって本質的に同じサイズである。ディスクおよび／またはコンテナ２は、隙間の幅ｂを変化させつつ、たとえば垂直に調整可能に位置付けられることができる。ディスクの周縁３ａが上向けに引張られた結果、被研削物用のディスク状の容器が作り出される。ディスクの周縁３ａとコンテナの壁２ｂとの間には隙間５ａが形成され、これは間隔５よりも小さく、約０．８ｍｍの幅を有する。
【００３４】
足２″内のロータリディスク３の下には、ロータリディスク用の回転駆動装置１１が備えられている。回転駆動装置は、直接ロータリディスク３を駆動するモータであってもよく、または一体型のギアを有するギア型モータであってもよい。回転駆動装置１１は、垂直に上向きにされた被駆動シャフト１２を有する。回転駆動装置１１は、シャフト１２に対し平行に向けられたねじ連結１３と取付プレート１４とにより、ケーシング２′に固定される。足２ａとコンテナ２との間のケーシング２′の穴は継手１５を含み、これによりロータリディスク３は駆動装置１１の被駆動シャフト１２に回転不能に連結される。この目的のため、継手１５は穴１５ａ、１５ｂを有する。穴１５ａの中には、駆動装置１１の被駆動シャフト１２が突き出す。ラジアル締付ボルト１６が、非回転連結のために設けられる。穴１５ｂの中には、ロータリディスク３にしっかりと連結されたセンタリングピン１７が突き出す。ロータリディスク３との非回転連結が、センタリングピン１７と平行に継手１５に係合するねじによりもたらされる。
【００３５】
ロータリディスク３の軸Ａと回転駆動装置１１とは整列されている。穴１５ａ、１５ｂは貫通穴の形であってもよい。継手１５の下方には、回転駆動装置１１の被駆動シャフト１６がセンタリングリング１９により取囲まれている。継手の上部区域では、強化リング２１がそこにしっかりと連結されている。継手１５は保持リング２２によりケーシング２′内に軸方向に保持されている。
【００３６】
上述のように、ロータリディスク３はコンテナの底２ａから間隔をおいて離れて、隙間５を形成している。
【００３７】
研削装置の動作中、隙間が比較的広いため、被研削物または特に研磨剤の小さな微粒子がロータリディスク３とコンテナの底２ａとの間を通過するようになり、可撓性のあるディスクが回転する結果、微粒子は、コンテナの底２ａまたはロータリディスク３にいかなる著しい摩耗も引起さずに、コンテナの壁の方向に再び送られる。
【００３８】
ロータリディスク３が可撓性を有する結果、ロータリディスク３の下に入り込んだ研磨微粒子が粉砕されず、その代わり半径方向外側へ動かされるため、摩擦熱の発生は大いに防止される。また、コンテナ２の底２ａの側方に閉鎖可能な排出口２３を設けることが可能である。これは、動作中は閉鎖され、これによって、ディスク３の下方を通ったあらゆる研削材料を、研削ユニットが停止しているときに除去することが可能になる。
ギアまたは歯付ベルトなどの他のギア設計が設けられる。
【００３９】
図２および３はこの発明のさらなる展開を示し、この場合も、この発明に従った研削装置は簡単な構成を有し、したがって製造するのに安価である。
【００４０】
この場合、ケーシング２ａは足２ｃを有し、それはコンテナ２とは一体には構成されていない。これまで説明されていない方法で、コンテナ２は足２ｃに固定されている。この場合、特に図３に見られるように、モータ１１はコンテナ２および足２ｃの側方に、モータの被駆動シャフト（図示せず）がモータ１３から下向きに通るように位置付けられている。ギア１２もモータ１３の下方に配置されており、駆動装置１１はギア型モータ１４として構成されることもできる。モータ１３の頂部は本質的に、コンテナ２の上端と同じ高さにある。
【００４１】
ロータリディスク３の下のコンテナの底２ｂには、ここにも閉鎖可能な開口部１５が設けられており、これによりディスク３の下を通ったあらゆる研削材料を除去することができる。
【００４２】
図３を見れば明らかであるように、ケーシング２の足２ｃには、Ｕ字形のブラケット１７が設けられており、その脚はケーシング２′の足２ｃに嵌め込まれ、その横材でコンテナ２を保持している。ディスク３の駆動軸３ｂが、底２ｂおよびブラケット１７の横材を貫通してギア１２に入り、それはモータ１３のすぐ下の部分からコンテナ下方の中央まで延びており、これに対応する遊びギアまたは歯付ベルトなどの他のギア設計が設けられる。
【００４３】
図４は、コンテナ２内で軸Ａを中心として回転可能なロータリディスク３の上向きに引き出された周縁３ａの詳細を示す。表わされた実施例では、少なくとも周縁３ａは、ショア硬度が５０〜９５°の可撓性のある材料から作られている。ロータリディスクまたはその底３ｂは、同じまたは異なる材料から作られることが可能である。さらに、またはこれに代えて、周縁３ａの近くでは、コンテナの壁２ｂは可撓性または弾性を有することが可能である。
【００４４】
周縁３ａは、ディスク３の底区域３ｂからその自由端３ｃにかけてテーパを有する。底３ｂに対する周縁３ａの開放角度αは、示された実施例では約１５０°である。底の下面３ｄと周縁３ａの外側３ｅとの間の角度βは、したがって約１３０°となる。両方の角度α、βの値は好ましくは、１０５〜１５０°である。ロータリディスクの近くのコンテナの内壁、したがってロータリディスク３の周縁の外側の傾斜８は、各々の場合、水平に対して一般に３０〜７０°であり、ここでは６５°である。
【００４５】
ロータリディスク３が不載荷の場合、つまりディスクが回転しておらず、周縁３ａに遠心力が作用していない場合、ディスクは特に端領域３ｃにおいてコンテナ２の内壁２ｂと接触せずに、コンテナの内壁に対して最も好ましくは０．４〜２ｍｍの有限の間隔または隙間５を有する。ロータリディスク３の下面３ｄとコンテナ２の底２ａの頂部２ｃとの間にも、隙間５ａまたは有限の間隔が存在する。
【００４６】
この発明のもう１つの好ましい展開はは、コンテナ２およびロータリディスク３の一部分を詳細に示す図５に示される。参照符号はこれまでに用いられたものと一致する。角度に対する、ロータリディスク３の近くまたはロータリディスク３と同じ高さのコンテナの内壁２ｂの、底面２ｃとなす角度は、ここでは５５°である。前述の実施例とは異なり、コンテナ２の傾斜した壁２ｂの下方領域には窪み２ｉがあり、その高さはロータリディスク３の底３ｂの厚さにより大まかに決定される。窪み２ｉは、水平底区域２ｊと垂直壁区域２ｋにより境界をつけられる。この窪みは、底３ｂの半径方向にそれほど可撓性のない区域が、ディスク３の熱膨張の結果、コンテナ２の壁２ｂに押し当り、動作において多大な熱発生と摩耗を引起すことを防止する。立上がった縁の口縁、またはロータリディスクの口縁の上端領域が壁２と接触する場合、立上がった縁の可撓性のため上記、これは問題を起こさない。なぜなら、使用される研磨材料の有機的な性質の結果、同材料と対応する粒子を取巻くワックスとでできた減摩層が設けられ、摩擦を低減する作用を及ぼすためである。窪み２ｉの近くには、研磨材料（クルミの微粒子などの有機材料および埋込ワックス）が集まり、示された点線２ｌまでほぼ延びる。
【００４７】
加工品および研磨剤は例示的な方法で少量示されており、機械加工のため、図１のコンテナはかなりの程度、研磨剤で充填される（少なくとも３分の１が充填される）。貴金属の指輪などの加工品２１を研削するための研磨剤２０は、中心にクルミ粒子２２を有し、それが特にけい酸塩または酸化物の研磨粒子２４が混ぜ込まれた脂肪またはワックス層により外側を取囲まれているクルミの顆粒に基づいた複合研磨剤である。
【００４８】
この発明に従ったディスク研削装置１が動作する場合、研磨ディスク３の周縁３ａの自由端３ｃは、遠心力とコンテナに充填された研磨材料２０および被研削物（加工品）２１とによって、前記コンテナ２の壁２ｂに押し当てられ、クルミの研磨剤が隙間５、６にはいることを大いに防止する。
【００４９】
機械加工中、研磨粒子がすり切れ、塵および研磨微粒子が発生し、また、樹脂化したワックスおよび脂肪成分も塵を形成する。実際の研磨剤２０よりも小さいこのような塵および研磨微粒子は、ディスクの縁３ａとコンテナの壁２ｂとの間、およびコンテナの下を通ることができ、周縁３ａ（および随意に、より少ない程度で壁３ｂ）の可撓性の結果、ロータディスクの動きによりそこに作用する遠心力によって、それらは縁の隙間５ａを通って機械加工チャンバに部分的に再び戻される。それらはコンテナの底の排出口から部分的に、除去可能である。
【００５０】
コンテナ、または少なくともコンテナの内部にポリアミド６を用い、実際のコンテナにポリウレタンを用いるこの材料の組合せは、特に前述の研磨剤と共同して最適の性質を有することがわかっている。コンテナの壁に摩耗は起こらない。この材料選択の結果、回転するディスクとコンテナの壁との間が遠心力によって接触する場合に起こる融合が防止される。これは、たとえばディスクとコンテナの底とが同じプラスチック材料から作られている場合に、摩擦により生じる加熱によって発生するものである。また、自己洗浄効果が著しく向上する。
【００５１】
この発明に従ったディスク研削装置の動作中、特に乾式方法の場合、周縁３ａの自由端３ｃは、遠心力とコンテナに充填された研磨材料および被研削物とによって、前記コンテナ２の壁２ｂに押し当てられ、研磨材料が隙間５、６に入ることを大いに防止する。しかし、特に周縁３ａ（または壁２ｂも）の可撓性の結果、研磨粒子は、ロータリディスクの動きによりそこに働く遠心力によって、隙間から再度強制排出され得る。周縁３ａとコンテナの壁２ｂとが接触しているにもかかわらず、通常ＰＵから作られるディスク、特に周縁３ａの過剰な加熱が、驚いたことに起こらず、特に、加熱の結果、周辺の壁と融合することもない。これは、形成された研磨粉末または塵が、特に端３ｃに近い周縁３ａとコンテナの壁２ａとの隙間５に入り、そこで潤滑作用を及ぼすためと思われる。
【図面の簡単な説明】
【図１】  この発明の研削装置の一実施例を示す図である。
【図２】  この発明の研削装置の他の実施例を示す側面図である。
【図３】  図２の装置の基本部分の垂直断面図である。
【図４】  図３に示す装置のロータリディスクの周縁の領域の拡大図である。
【図５】  この発明の研削装置のさらに他の実施例のロータリディスクおよびコンテナの拡大詳細図である。
【図１】
0004942894.tif 000002
【図２】
0004942894.tif 000003
【図３】
0004942894.tif 000004
【図４】
0004942894.tif 000005
【図５】
0004942894.tif 000006